(57)【特許請求の範囲】
【請求項１】
複数の太陽光発電装置及び複数の負荷が接続された電力系統における、前記太陽光発電装置が出力する有効電力及び前記負荷が消費する有効電力を推定する電力推定装置であって、
前記電力系統の各地点で有効電力及び無効電力を定期的に計測する第１の計測手段と、
前記電力系統に接続された各高圧需要家の有効電力及び無効電力を定期的に計測する第２の計測手段と、
前記第１の計測手段で計測された電力の計測値の中から、所定の条件を満たす計測値を抽出する抽出手段と、
前記抽出手段で抽出された、前記所定の条件を満たす低圧需要家の有効電力計測値及び無効電力計測値を用いて、前記電力系統に接続された負荷が消費する有効電力値を無効電力計測値から推定するための換算式を構築する換算式構築手段と、
前記電力系統における各推定対象区間の上流側での無効電力計測値から、前記推定対象区間の下流側での無効電力計測値と、前記推定対象区間内の高圧需要家の無効電力計測値とを減算することで、前記推定対象区間内の負荷の無効電力計測値を求め、それを前記換算式構築手段で構築された前記換算式における無効電力計測値に読み替えて、各推定対象区間毎に負荷が消費する有効電力推定値（換算）を算出する換算値算出手段と、
前記換算値算出手段で各推定対象区間毎に算出された前記有効電力推定値（換算）に、前記第２の計測手段で計測された各推定対象区間内の高圧需要家の有効電力計測値を加算することで、各推定対象区間毎に負荷が消費する有効電力推定値を算出する第１の推定手段と、
前記第１の推定手段で各推定対象区間毎に算出された負荷が消費する有効電力推定値から、前記第１の計測手段で各推定対象区間毎に計測された有効電力計測値を減算して、各推定対象区間毎に太陽光発電装置が出力する有効電力推定値を算出する第２の推定手段と、
少なくとも、前記第１の推定手段で算出された前記負荷が消費する有効電力推定値と、前記第２の推定手段で算出された前記太陽光発電装置が出力する有効電力推定値のいずれかを、前記電力系統における各推定対象区間毎に画面表示もしくは外部出力する出力手段と、
を備えることを特徴とする電力推定装置。
【請求項２】
請求項１記載の電力推定装置において、
前記抽出手段で抽出される前記所定の条件を満たす計測値は、前記太陽光発電装置の出力がない日の計測値であって、且つ、気象条件及び暦条件（季節，平日か休日若しくは曜日のいずれか又はこれらの条件の組合せ）のうちの１つもしくは複数の条件が推定対象日のものと同じ日の計測値であることを特徴とする電力推定装置。
【請求項３】
請求項１記載の電力推定装置において、
前記第１の計測手段は、各推定対象区間の上流側と下流側の各々に配置された電力計を含み、前記第２の計測手段は、推定対象区間内の各高圧需要家に設置されたメータを含み、前記推定対象区間内に高圧需要家が存在する場合には、前記メータで計測される有効電力計測値及び無効電力計測値と、前記電力計で計測される有効電力計測値及び無効電力計測値とから、当該推定対象区間における有効電力及び無効電力を推定することを特徴とする電力推定装置。
【請求項４】
請求項１記載の電力推定装置において、
前記出力手段により表示される推定対象区間は、前記電力系統に接続された前後２ヶ所の開閉器により区分けされた領域であることを特徴とする電力推定装置。
【請求項５】
複数の太陽光発電装置及び複数の負荷が接続された電力系統における、前記太陽光発電装置が出力する有効電力及び前記負荷が消費する有効電力を推定する電力推定装置による電力推定方法であって、
前記電力系統の各地点で有効電力及び無効電力を定期的に計測する第１の計測ステップ、
前記電力系統に接続された各高圧需要家の有効電力及び無効電力を定期的に計測する第２の計測ステップ、
前記第１の計測ステップで計測された電力の計測値の中から、所定の条件を満たす計測値を抽出する抽出ステップ、
前記抽出ステップで抽出された、前記所定の条件を満たす低圧需要家の有効電力計測値及び無効電力計測値を用いて、前記電力系統に接続された負荷が消費する有効電力値を無効電力計測値から推定するための換算式を構築する換算式構築ステップ、
前記電力系統における各推定対象区間の上流側での無効電力計測値から、前記推定対象区間の下流側での無効電力計測値と、前記推定対象区間内の高圧需要家の無効電力計測値とを減算することで、前記推定対象区間内の負荷の無効電力計測値を求め、それを前記換算式構築ステップで構築された前記換算式における無効電力計測値に読み替えて、各推定対象区間毎に負荷が消費する有効電力推定値（換算）を算出する換算値算出ステップ、
前記換算値算出ステップで各推定対象区間毎に算出された前記有効電力推定値（換算）に、前記第２の計測ステップで計測された各推定対象区間内の高圧需要家の有効電力計測値を加算することで、各推定対象区間毎に負荷が消費する有効電力推定値を算出する第１の推定ステップ、
前記第１の推定ステップで各推定対象区間毎に算出された負荷が消費する有効電力推定値から、前記第１の計測ステップで各推定対象区間毎に計測された有効電力計測値を減算して、各推定対象区間毎に太陽光発電装置が出力する有効電力推定値を算出する第２の推定ステップ、および、
少なくとも、前記第１の推定ステップで算出された前記負荷が消費する有効電力推定値と、前記第２の推定ステップで算出された前記太陽光発電装置が出力する有効電力推定値のいずれかを、前記電力系統における各推定対象区間毎に画面表示もしくは外部出力する出力ステップ、
を含むことを特徴とする電力推定方法。
【請求項６】
請求項５記載の電力推定方法において、
前記抽出ステップで抽出される前記所定の条件を満たす計測値は、前記太陽光発電装置の出力がない日の計測値であって、且つ、気象条件及び暦条件（季節，平日か休日若しくは曜日のいずれか又はこれらの条件の組合せ）のうちの１つもしくは複数の条件が推定対象日のものと同じ日の計測値であることを特徴とする電力推定方法。
【請求項７】
請求項５記載の電力推定方法において、
前記第１の計測ステップは、各推定対象区間の上流側と下流側の各々に配置さた電力計を用いて計測することを含み、前記第２の計測ステップは、推定対象区間内の各高圧需要家に設置されたメータを用いて計測することを含み、前記推定対象区間内に高圧需要家が存在する場合には、前記メータで計測される有効電力計測値及び無効電力計測値と、前記電力計で計測される有効電力計測値及び無効電力計測値とから、当該推定対象区間における有効電力及び無効電力を推定することを特徴とする電力推定方法。
【発明の詳細な説明】
【技術分野】
【０００１】
本発明は、配電系統に連系した太陽光発電装置が出力する有効電力と、負荷が消費する有効電力を推定することができる推定装置および推定方法に関する。
【背景技術】
【０００２】
近年、配電系統に大量の太陽光発電装置が導入されている。配電系統の適切な運用のためには、太陽光発電装置が出力する有効電力と、負荷が消費する有効電力を正確に把握する必要がある。
【０００３】
下記特許文献１には、太陽光発電システムが導入される前など太陽光発電出力がないデータに基づいて推定式を構築する技術が開示されている。
【先行技術文献】
【特許文献】
【０００４】
【特許文献１】特開２０１２−１９１７７７号公報
【発明の概要】
【発明が解決しようとする課題】
【０００５】
上記した特許文献１に開示された技術においては、無効電力を調整する電圧調整機器、例えばＳＶＣ(Static Var Compensation:静止型無効電力補償装置)など、があると推定式が適用できないという課題がある。
【０００６】
ところで配電系統につながる負荷には、一般的な低圧需要家（例えば一般商用電源電圧100Ｖを使用する需要家）のみならず、高圧需要家（例えば配電系統から供給される6600Ｖを使用する需要家）なども接続される。その際、高圧需要家などにおいては無効電力を調整する電圧調整機器を備えることが多い。そのような場合に上記した特許文献１に開示の技術は構築した推定式を適用することができないという課題がある。
【０００７】
そこで本発明は、無効電力を調整する電圧調整機器が配電系統に存在する場合であっても、太陽光発電装置が出力する有効電力及び負荷が消費する有効電力を推定することができる推定装置および推定方法を提供することを目的とする。
【課題を解決するための手段】
【０００８】
上記課題を解決するために本発明は、複数の太陽光発電装置及び複数の負荷が接続された電力系統における、前記太陽光発電装置が出力する有効電力及び前記負荷が消費する有効電力を推定する電力推定装置であって、
前記電力系統の各地点で有効電力及び無効電力を定期的に計測する第１の計測手段と、
前記電力系統に接続された各高圧需要家の有効電力及び無効電力を定期的に計測する第２の計測手段と、
前記第１の計測手段で計測された電力の計測値の中から、所定の条件を満たす計測値を抽出する抽出手段と、
前記抽出手段で抽出された、前記所定の条件を満たす低圧需要家の有効電力計測値及び無効電力計測値を用いて、前記電力系統に接続された負荷が消費する有効電力値を無効電力計測値から推定するための換算式を構築する換算式構築手段と、
前記電力系統における各推定対象区間の上流側での無効電力計測値から、前記推定対象区間の下流側での無効電力計測値と、前記推定対象区間内の高圧需要家の無効電力計測値とを減算することで、前記推定対象区間内の負荷の無効電力計測値を求め、それを前記換算式構築手段で構築された前記換算式における無効電力計測値に読み替えて、各推定対象区間毎に負荷が消費する有効電力推定値（換算）を算出する換算値算出手段と、
前記換算値算出手段で各推定対象区間毎に算出された前記有効電力推定値（換算）に、前記第２の計測手段で計測された各推定対象区間内の高圧需要家の有効電力計測値を加算することで、各推定対象区間毎に負荷が消費する有効電力推定値を算出する第１の推定手段と、
前記第１の推定手段で各推定対象区間毎に算出された負荷が消費する有効電力推定値から、前記第１の計測手段で各推定対象区間毎に計測された有効電力計測値を減算して、各推定対象区間毎に太陽光発電装置が出力する有効電力推定値を算出する第２の推定手段と、
少なくとも、前記第１の推定手段で算出された前記負荷が消費する有効電力推定値と、前記第２の推定手段で算出された前記太陽光発電装置が出力する有効電力推定値のいずれかを、前記電力系統における各推定対象区間毎に画面表示もしくは外部出力する出力手段と、
を備えることを特徴とする。
【０００９】
上記において、前記抽出手段で抽出される前記所定の条件を満たす計測値は、前記太陽光発電装置の出力がない日の計測値であって、且つ、気象条件及び暦条件（季節，平日か休日若しくは曜日のいずれか又はこれらの条件の組合せ）のうちの１つもしくは複数の条件が推定対象日のものと同じ日の計測値であることを特徴とする。
【００１０】
また上記において、前記第１の計測手段は、各推定対象区間の上流側と下流側の各々に配置された電力計を含み、前記第２の計測手段は、推定対象区間内の各高圧需要家に設置されたメータを含み、前記推定対象区間内に高圧需要家が存在する場合には、前記メータで計測される有効電力計測値及び無効電力計測値と、前記電力計で計測される有効電力計測値及び無効電力計測値とから、当該推定対象区間における有効電力及び無効電力を推定することを特徴とする。
【００１１】
また上記において、前記出力手段により表示される推定対象区間は、前記電力系統に接続された前後２ヶ所の開閉器により区分けされた領域であることを特徴とする。
また上記課題を解決するために本発明は、複数の太陽光発電装置及び複数の負荷が接続された電力系統における、前記太陽光発電装置が出力する有効電力及び前記負荷が消費する有効電力を推定する電力推定装置による電力推定方法であって、
前記電力系統の各地点で有効電力及び無効電力を定期的に計測する第１の計測ステップ、
前記電力系統に接続された各高圧需要家の有効電力及び無効電力を定期的に計測する第２の計測ステップ、
前記第１の計測ステップで計測された電力の計測値の中から、所定の条件を満たす計測値を抽出する抽出ステップ、
前記抽出ステップで抽出された、前記所定の条件を満たす低圧需要家の有効電力計測値及び無効電力計測値を用いて、前記電力系統に接続された負荷が消費する有効電力値を無効電力計測値から推定するための換算式を構築する換算式構築ステップ、
前記電力系統における各推定対象区間の上流側での無効電力計測値から、前記推定対象区間の下流側での無効電力計測値と、前記推定対象区間内の高圧需要家の無効電力計測値とを減算することで、前記推定対象区間内の負荷の無効電力計測値を求め、それを前記換算式構築ステップで構築された前記換算式における無効電力計測値に読み替えて、各推定対象区間毎に負荷が消費する有効電力推定値（換算）を算出する換算値算出ステップ、
前記換算値算出ステップで各推定対象区間毎に算出された前記有効電力推定値（換算）に、前記第２の計測ステップで計測された各推定対象区間内の高圧需要家の有効電力計測値を加算することで、各推定対象区間毎に負荷が消費する有効電力推定値を算出する第１の推定ステップ、
前記第１の推定ステップで各推定対象区間毎に算出された負荷が消費する有効電力推定値から、前記第１の計測ステップで各推定対象区間毎に計測された有効電力計測値を減算して、各推定対象区間毎に太陽光発電装置が出力する有効電力推定値を算出する第２の推定ステップ、および、
少なくとも、前記第１の推定ステップで算出された前記負荷が消費する有効電力推定値と、前記第２の推定ステップで算出された前記太陽光発電装置が出力する有効電力推定値のいずれかを、前記電力系統における各推定対象区間毎に画面表示もしくは外部出力する出力ステップ、
を含むことを特徴とする。
【００１２】
上記において、前記抽出ステップで抽出される前記所定の条件を満たす計測値は、前記太陽光発電装置の出力がない日の計測値であって、且つ、気象条件及び暦条件（季節，平日か休日若しくは曜日のいずれか又はこれらの条件の組合せ）のうちの１つもしくは複数の条件が推定対象日のものと同じ日の計測値であることを特徴とする。
【００１３】
また上記において、前記第１の計測ステップは、各推定対象区間の上流側と下流側の各々に配置さた電力計を用いて計測することを含み、前記第２の計測ステップは、推定対象区間内の各高圧需要家に設置されたメータを用いて計測することを含み、前記推定対象区間内に高圧需要家が存在する場合には、前記メータで計測される有効電力計測値及び無効電力計測値と、前記電力計で計測される有効電力計測値及び無効電力計測値とから、当該推定対象区間における有効電力及び無効電力を推定することを特徴とする。
【発明の効果】
【００１４】
本発明によれば、配電系統にＳＶＣのように電圧制御のために無効電力を調整する装置が設けられている場合であっても、太陽光発電装置が出力する有効電力値及び負荷が消費する有効電力値を正確に推定することができるという利点がある。
【図面の簡単な説明】
【００１５】
【図１】本発明の実施形態に係る配電系統の構成例を示す図である。
【図２】本発明の実施形態に係る電力推定装置の構成を示す図である。
【図３】本発明の実施形態に係る電力推定装置の動作を説明する処理フロー図である。
【図４】本発明の実施形態に係る配電系統において計測される有効電力と無効電力の関係を示す図である。
【図５】本発明の実施形態に係る配電系統における区間内の負荷が主として低圧需要家（力率改善コンデンサなし）の構成例（類型１）を示す図である。
【図６】本発明の実施形態に係る配電系統における区間内の負荷が低圧需要家と高圧需要家（力率改善コンデンサあり）の構成例（類型２）を示す図である。
【図７】本発明の実施形態に係る配電系統における区間内の負荷が主として高圧需要家（力率改善コンデンサあり）の構成例（類型３）を示す図である。
【図８】本発明の実施形態に係る電力推定装置の出力部における画面表示例を示す図である。
【図９】配電系統内に高圧需要家が含まれることで力率が変動し配電系統における負荷が消費する有効電力が変化する様子を示す図である。
【発明を実施するための形態】
【００１６】
以下、本発明の実施の形態について、図面を参照しながら詳細に説明する。
図１は、本発明の実施形態に係る配電系統の構成例を示す図である。図１に示す本発明の実施形態に係る配電系統では、配電系統全般、およびまたは、開閉器により区切られた推定対象区間（以下、単に“区間”という）毎について、計測した電力の値(電力データ)から太陽光発電装置が出力する有効電力及び負荷が消費する有効電力を推定可能とするものである。ただし、本発明の実施形態では、高圧需要家（例．工場）には、有効電力および無効電力を計測できるメータ、たとえばスマートメータ、が備えつけられており、該メータの値が電力推定装置に定期的に通報される構成を有する。なお、低圧需要家（例．一般家庭）には有効電力を計測するメータのみが取り付けられているものとする。
【００１７】
図１において、本発明の実施形態に係る配電系統の構成例では、変電所１に接続される配電線に、複数の低圧需要家（例．一般家庭）およびまたは高圧需要家（例．工場）が開閉器S1,S2、開閉器S2,S3、開閉器S3,S4、・・・に挟まれて接続されている。図示例における低圧需要家（例えば一般商用電源電圧100Ｖを使用する需要家）は、太陽光発電パネルを備えているものとし、太陽光発電パネルにより発電された電力はインバータを介して交流に変換されるとともに、低圧需要家内の負荷で電力消費し、太陽光による発電電力が余れば系統に電力を供給する構成になっている。
【００１８】
一方、高圧需要家（例えば配電系統から供給される6600Ｖを使用する需要家）は、太陽光発電装置(発電パネル)を有さずに、高圧需要家内のモータ、力率改善コンデンサ、及び、負荷等から成る電力エネルギー消費負荷により配電線から供給される電力を消費するものとして記述されている。高圧需要家は、通常、力率を１にするための力率改善コンデンサを設備しており、該力率改善コンデンサにより、受電点の力率を１に近づけるようにしている。つまり力率が１に近い値であると電気料金の割引が受けられるので、多くの高圧需要家（例．工場）は力率改善コンデンサを設置するとともに有効電力および無効電力を計測できるメータ（例．スマートメータ）を備え、計測した有効電力および無効電力を定期的に電力推定装置１０に通報する。
【００１９】
そして開閉器S1,S2、開閉器S2,S3、開閉器S3,S4、・・・を作動させることによって、負荷が消費する電力を切り分けることができることから、開閉器S1,S2、開閉器S2,S3、開閉器S3,S4、・・・によって区切られた領域を称して負荷が消費する電力を推定する対象区間と呼ぶことにしたものである。図示例では、開閉器S1,S2、によって区間１、開閉器S2,S3によって区間２、開閉器S3,S4によって区間３が構成されるケースについて例示している。なお図１に示した低圧需要家も有効電力を計測するメータ（不図示）を備えているが、当該メータにより計測した有効電力は電力推定装置１０に通報されない。
【００２０】
太陽光発電装置が出力する有効電力及び負荷が消費する有効電力を電力推定装置１０により推定を実施する前に、開閉器およびメータ配置入力部５から電力推定装置１０内のメモリ部（後述する）に配電系統における開閉器の位置情報、および、電力計P1〜P4並びにメータＭの位置情報がオペレータにより登録される。変電所１には発電所（不図示）から送電線を介して電力送電が行われ、変電所１を介して変電所１から本実施形態に係る配電系統に電力が供給されるようになっている。
【００２１】
なお図１に示す配電系統の構成例は、模式的に示したものであり、実際は、これより多くの低圧需要家および高圧需要家並びに電力計、開閉器、メータ等が配電線に接続されるものになる。
【００２２】
また図示例の配電線には、開閉器S1の変電所１側に電力計P1が、開閉器S2の変電所１側に電力計P2が設けられ、さらに開閉器S3の変電所１側に電力計P3が、開閉器S4の変電所１側に電力計P4が設けられ、電力計P1は、電力計P1より下流の配電線に接続される負荷全てが消費する電力の値（電力データ）を、また電力計P2は、電力計P2より下流の配電線に接続される負荷全てが消費する電力の値（電力データ）を、さらに電力計P3は、電力計P3より下流の配電線に接続される負荷全てが消費する電力の値（電力データ）を、また電力計P4は、電力計P4より下流の配電線に接続される負荷全てが消費する電力の値（電力データ）を、それぞれ計測し、電力計P1ないし電力計P4で計測した有効電力と無効電力の値を定期的に電力推定装置１０に通報するように構成している。なお区間内の電力の値は、例えば、区間１の電力データは、配電系統に配置された電力計P1で計測した有効電力と無効電力の値と、電力計P2で計測した有効電力と無効電力の値とのそれぞれの差分を算出することによって求めることができる。
【００２３】
図２は、本発明の実施形態に係る電力推定装置の構成を示す図であり、図３は本発明の実施形態に係る電力推定装置の動作を説明する処理フロー図である。
図２において本発明の実施形態に係る電力推定装置１０は、コンピュータ等の情報を処理する汎用の装置で構成されており、当該装置には、特に図示しないが、ＣＰＵ（中央処理ユニット）、記憶装置（ハードディスク）、メモリ、通信機能部、入出力インタフェース、入出力装置など当業者によく知られたハードウェアを備えている。そして上記記憶装置には予め所定のアプリケーションプログラムが記憶されており、上記ＣＰＵがこのアプリケーションプログラムを読出して実行することにより下記に記述する各種処理部１４〜１６の機能を実現する。
【００２４】
上記電力推定装置１０が備えるハードウェアの下に、
入力部１１は、配電系統に備えられた電力計P1ないし電力計P4で計測された有効電力と無効電力の値を取り込む。図示していないが、外部(例えば、気象庁等)により提供される、気象情報・暦情報も取り込めるように構成しており、また、必要に応じて、オペレータ(図示せず)が入力部１１から上記情報を直接入力することもできる。
【００２５】
メモリ部１２は、入力部１１で取り込んだ情報を蓄積するとともに、後述する電力推定装置１０内の各機能部１４〜１６で処理した情報を蓄積する。また事前に開閉器及びメータ配置入力部５を介して入力された位置情報も蓄積する。
【００２６】
出力部１３は、メモリ部１２に蓄積された情報を必要に応じて画面表示するか、紙等に印刷して出力する。また出力部１３は、電力推定装置１０内の各機能部１４〜１６で処理し蓄積した情報を外部(図示せず)に出力することもできる。
【００２７】
上記した入力部１１及び出力部１３は、上述した情報処理装置の入出力装置、通信機能部、入出力インタフェース等、により実現される。またメモリ部１２は上述した情報処理装置の記憶装置（ハードディスク）、メモリ等により実現される。
【００２８】
そして類似日抽出処理部１４は、換算式構築用のデータを抽出するものであり、推定対象日と類似する過去日のデータを抽出する。過去日のデータを抽出する場合には、条件をあらかじめ設定して選択する。条件設定では、例えば、以下のような複数の条件を組み合わせて条件を設定しデータを抽出することができる。
【００２９】
抽出条件１：推定対象日と最高気温が±ｘ℃以内の日(例えば、ｘ=2〜3とする)
抽出条件２：推定対象日から過去ｙ日以内の日(例えば、ｙ=30とする)
抽出条件３：推定対象日と平日/休日の区分が同じ日
抽出条件４：t1時〜t2時(例えば、t1=10，t2=16とする)
なお上記の抽出条件に含めていないが、雨天時のデータ及び又は夜間(例えば、21時〜3時)のデータを抽出することは必須であるので、敢えて上記抽出条件に記載していない。また上記“休日”は“祝日”を含んでも構わないが、ここで示す“平日/休日”とは、例えば工場の稼働日／非稼動日を指す。一般の“祝日”であっても工場が稼動している場合は、“平日”とみなして良い。
【００３０】
換算式構築処理部１５は、上述した類似日抽出処理部１４で抽出したデータを用いて、負荷が消費する有効電力を求める換算式を求める。
その場合、類似日抽出処理部１４では、日射量が期待できない雨天時等のデータを必ず抽出するので、雨天時のデータであれば、計測データは負荷の有効電力と無効電力を表しているとして良い。一般に低圧需要家（例．一般家庭）の場合には、図４に示されるグラフのように、計測される有効電力と無効電力の関係はほぼ直線状の分布となる。図４に示されるグラフから、負荷の有効電力と無効電力は、ほぼ直線的な関係があることが分かるので、次の式１に示す換算式を構築することができる。すなわち、
負荷が消費する有効電力推定値(換算)＝a0 + a1 × 無効電力計測値      ・・・式１
上記式１において、a0は定数、a1は係数である。
【００３１】
しかしながら、高圧需要家（例．工場）が含まれて力率コンデンサが動作すると、力率が変動し配電系統における負荷が消費する有効電力は変化して図９のようなグラフになってしまう。したがって、高圧需要家（例．工場）が含まれている区間については有効電力および無効電力を計測できるメータＭ（例．スマートメータ等）を設置して有効電力と無効電力を計測し定期的に電力推定装置１０に通報してもらうようにする。
【００３２】
このように配電網の構成を概観するようにすれば、図１に示される本発明の実施形態に係る配電系統の構成における計測される有効電力と無効電力の関係は、次の式２、式３のように表現することが可能となる。すなわち、
有効電力計測値＝上流側電力計の有効電力計測値−下流側電力計の有効電力計測値−高圧需要家の有効電力計測値・・・式２
無効電力計測値＝上流側電力計の無効電力計測値−下流側電力計の無効電力計測値−高圧需要家の無効電力計測値・・・式３
【００３３】
しかしながら、上記式２及び式３の具体的な適用については図１に示した本発明の実施形態に係る配電系統の構成から直接的に把握し難いので、図１における配電系統の区間１ないし区間３に接続される負荷が、たまたま図５に示す類型１、図６に示す類型２、および、図７に示される類型３のような構成になっている場合には、上記式２及び式３におけるそれぞれの有効電力計測値および無効電力計側値を以下の式４ないし９のように求められるので、上記式１の無効電力計測値について、求められた無効電力計測値の読み替えを行い、最終的には以下に示す式１０に基づいて、負荷が消費する有効電力を求める。すなわち、
図１の区間１は、図５に示される類型１のようになり、この場合には、高圧需要家が存在しないので、上記式１における無効電力計測値を、次の式５に示されるものに読み替える。すなわち、
有効電力計測値＝電力計１の有効電力計測値−電力計２の有効電力計測値−高圧需要家の有効電力計測値≒電力計１の有効電力計測値−電力計２の有効電力計測値・・・式４
無効電力計測値＝電力計１の無効電力計測値−電力計２の無効電力計測値−高圧需要家の無効電力計測値≒電力計１の無効電力計測値−電力計２の無効電力計測値・・・式５
【００３４】
また図１の区間２は、図６に示される類型２のようになり、この場合には、上記式１における無効電力計測値は、次の式７に示されるものに読み替える。すなわち、
有効電力計測値＝電力計２の有効電力計測値−電力計３の有効電力計測値−高圧需要家の有効電力計測値・・・・・・・・・・・・・・・式６
無効電力計測値＝電力計２の無効電力計測値−電力計３の無効電力計測値−高圧需要家の無効電力計測値・・・・・・・・・・・・・・・式７
【００３５】
また図１の区間３は、図７に示される類型３のようになり、この場合には、上記式１における無効電力計測値は、次の式９に示されるものに読み替える。すなわち、
有効電力計測値＝電力計３の有効電力計測値−電力計４の有効電力計測値−高圧需要家の有効電力計測値 ≒ ０・・・・・・・・・・・・式８
無効電力計測値＝電力計３の無効電力計測値−電力計４の無効電力計測値−高圧需要家の無効電力計測値 ≒ ０・・・・・・・・・・・・式９
【００３６】
上記図５ないし図７における各区間における接続形態が、たまたま上記のような類型として纏めることができたが、上記のような類型でなくても上記式２及び式３により各区間の有効電力計測値及び無効電力計測値を基に式１への読み替えを行うことができる。
【００３７】
ここで換算式は、上記式１のような１次式でなく、図４に示されるグラフの観察結果に応じて、２次式以上、折れ線、最小二乗法、又は、独立成分分析法を用いて換算式を構築してもよい。また、換算式にせず無効電力を任意の値(例えば１０ｋVar単位)にした無効電力と有効電力のテーブルの形に保存して当該テーブルを利用するようにしてもよい。
【００３８】
そして推定処理部１６では、上記したメモリ部１２に新たに蓄積された現時点の無効電力の値と前記換算式に基づき、現時点の負荷が消費する有効電力の値を次の式１０により推定する。そのあとで次の式１１を用いるにあたっては、上記式２により求められる有効電力計測値を用いることで、太陽光発電装置が出力する現時点の有効電力の値を推定する。すなわち、
負荷が消費する有効電力推定値＝
負荷が消費する有効電力推定値(換算)＋高圧需要家の有効電力計測値    ・・式１０
太陽光発電装置が出力する有効電力推定値＝
負荷が消費する有効電力推定値−有効電力計測値          ・・式１１
このようにして負荷が消費する有効電力と太陽光発電装置が出力する有効電力とを推定により求めることができるようになる。
【００３９】
図８は、上記のようにして求められる配電系統における区間毎の現時点における電力需給の推移を表わす出力部の画面表示例を示す図である。図８から分かるように、現時点における区間別の発電量と負荷の消費電力の値が開閉器間の配置とリンクして表示されるので、現時点における区間毎の電力需給の推移を一目瞭然に理解することが可能となる。なお、図示例では、現時点における配電系統すべての負荷が消費する有効電力と太陽光発電装置が出力する有効電力の値を示していないが、当業者であれば上記した区間毎の電力需給の推移のデータを合算することで表示させることは容易に可能であることは云うまでもない。また画面表示している区間毎の発電量を合算すれば現時点における配電系統すべての発電量を表示させることができる。その際、数値データとして表示せずにグラフ表示するようにしても良い。
【００４０】
なお上記式１は太陽光発電出力がない雨天時等のデータから構築したが、式１０、式１１は太陽光発電出力がない雨天時等のデータである必要はない。
図２に示されているように、以上に説明した、入力部１１、メモリ部１２、出力部１３、類似日抽出処理部１４、換算式構築処理部１５、および、推定処理部１６は、バス１７によって相互に接続されている。また類似日抽出処理部１４、換算式構築処理部１５、および、推定処理部１６は、上述した情報処理装置のＣＰＵが記憶装置内に格納されている所定のアプリケーションプログラムを読出して実行することにより各処理部１４〜１６の機能が実現される。
【００４１】
図３は、本発明の実施形態に係る電力推定装置の動作を説明する図である。図３においてはステップを“S”と略記する。また上述した図１等を適宜参照するものとする。
図３において、まず、図２に示す入力部１１に入力されたデータの入力処理を行う（ステップS1）。次いで、ステップS2では、図２に示す類似日抽出処理部１４により類似日抽出処理を行う。類似日抽出処理の内容は上述したのでここでは再説しない。
【００４２】
そしてステップS3に進み、ステップS3では、図２に示す換算式構築処理部１５により換算式の構築処理を行う。換算式構築処理の内容および構築された換算式については上述したのでここでは繰り返して説明するのを控える。
【００４３】
次に、ステップS4に進み、ステップS4では、図２に示す推定処理部１６が、同じく図２に示したメモリ部１２に新たに蓄積された現時点の無効電力の値と上記ステップS3の換算式構築処理部で構築した上記式１に示す換算式に基づき、現時点の負荷が消費する有効電力の値を上記式１０により推定する。そして、現時点の負荷が消費する有効電力値と上記計測した負荷が消費する有効電力値とに基づいて、上記式１１を用いて太陽光発電装置が出力する現時点の有効電力の値を推定する。このようにして求められた、現時点の負荷が消費する有効電力の値および太陽光発電装置が出力する現時点の有効電力の値を、図２に示す出力部１３が行う出力処理により出力する（ステップS5）。出力は、上述したように図８のように画面表示することができ、必要なら紙にプリントアウトすることもできる。
【符号の説明】
【００４４】
１  変電所
５  開閉器及びメータ配置入力部
１０  電力推定装置
１１  入力部
１２  メモリ部
１３  出力部
１４  類似日抽出処理部
１５  換算式構築処理部
１６  推定処理部
１７  バス
S1〜S4  開閉器
P1〜P4  電力計
Ｍ  (有効電力と無効電力を計測する)メータ
【図１】
0006327060.tif 000002
【図２】
0006327060.tif 000003
【図３】
0006327060.tif 000004
【図４】
0006327060.tif 000005
【図５】
0006327060.tif 000006
【図６】
0006327060.tif 000007
【図７】
0006327060.tif 000008
【図８】
0006327060.tif 000009
【図９】
0006327060.tif 000010